(57)【特許請求の範囲】
【請求項１】
ブレードサーバ・スライドイン・モジュール用の装置であって、
プラグコネクタを有するマザーボードと、
前記マザーボードの前記プラグコネクタに挿入されるライザーカードと、
前記ブレードサーバ・スライドイン・モジュール内で前記マザーボードに対して実質的に平行に固定される、第１の開口が存在するキャリアプレートであり、前記第１の開口は、挿入された前記ライザーカードの露出されたプラグ接点と位置を揃えられている、キャリアプレートと、
連続した第２の開口が存在する本体を有する保持素子であり、前記ライザーカードが機械的にしっかりと前記キャリアプレートに固定され且つ前記ライザーカードの前記プラグ接点が前記第２の開口を介してアクセス可能であるよう、前記第２の開口によってポジティブロック的に前記ライザーカードに押し当てられるとともに、前記キャリアプレートと係止される、ように構成されている保持素子と
を有する、装置。
【請求項２】
当該装置は更に拡張カードを有し、前記拡張カードは、前記保持素子の前記第２の開口を含んだ前記保持素子の面上に前記拡張カードが置かれるように、前記拡張カードのプラグコネクタによって、前記保持素子の前記第２の開口内に差し込まれて前記ライザーカードの前記プラグ接点と接触するように構成されている、請求項１に記載の装置。
【請求項３】
前記ライザーカードの前記プラグ接点は実質的に前記保持素子の前記第２の開口内に配置される、請求項１又は２に記載の装置。
【請求項４】
前記保持素子の前記本体は、回復力のある少なくとも２つの第１の引っ掛かり素子を有し、前記ライザーカードは、少なくとも２つの窪みを有し、それにより、前記保持素子が前記ライザーカードに押し当てられて前記保持素子が機械的にしっかりと前記ライザーカードに結合されるときに、前記少なくとも２つの第１の引っ掛かり素子が前記少なくとも２つの窪み内に係止される、請求項１乃至３の何れか一項に記載の装置。
【請求項５】
前記保持素子の前記本体は、前記保持素子を前記キャリアプレートに係止するための、回復力のある少なくとも２つの第２の引っ掛かり素子を有する、請求項１乃至４の何れか一項に記載の装置。
【請求項６】
前記保持素子の前記本体は、前記保持素子を前記キャリアプレートに係止するための、回復力のある少なくとも２つの第２の引っ掛かり素子を有し、且つ、前記保持素子の前記本体から、互いに反対に位置する２つのＵ字部分がモールドされており、前記Ｕ字部分の各々に、回復力のある１つの第１の引っ掛かり素子と、回復力のある１つの第２の引っ掛かり素子とが配置されている、請求項４に記載の装置。
【請求項７】
前記拡張カードの前記プラグコネクタは、ポジティブロック的に前記保持素子の前記第２の開口内に受け入れられることができる、請求項２又は請求項２に従属するときの請求項３乃至６の何れか一項に記載の装置。
【請求項８】
前記保持素子は、前記第２の開口を画成する外縁部に、１つ以上の傾斜面を有する、請求項１乃至７の何れか一項に記載の装置。
【請求項９】
前記保持素子は、前記第２の開口の領域に、対向配置され且つ前記ライザーカードの周りと横向きに篏合するように構成された２つの溝を有する、請求項１乃至８の何れか一項に記載の装置。
【請求項１０】
前記キャリアプレートは、ハードドライブケージの１つの面の部分である、請求項１乃至９の何れか一項に記載の装置。
【請求項１１】
前記ブレードサーバ・スライドイン・モジュール内に配置され、且つ前記保持素子の前記第２の開口に挿入された拡張カードを支持するように構成された、少なくとも１つの支持素子、を更に有する請求項２乃至１０の何れか一項に記載の装置。
【請求項１２】
前記少なくとも１つの支持素子は、前記拡張カードの挿入方向に平行な突起を有し、前記拡張カードは、１つ以上の窪みを有し、前記拡張カードの挿入時、前記少なくとも１つの支持素子の前記突起が、対応する窪み内にポジティブロック的に受け入れられる、請求項１１に記載の装置。
【請求項１３】
前記保持素子は、１つの部品にて製造されており、且つ／或いはプラスチック材料から製造されている、請求項１乃至１２の何れか一項に記載の装置。
【発明の詳細な説明】
【技術分野】
【０００１】
本発明は、プラグコネクタを有するマザーボードと、マザーボードのプラグコネクタに挿入されるライザーカードとを有するブレードサーバ・スライドイン・モジュール用の装置に関する。
【背景技術】
【０００２】
一般に、ブレードサーバシステムは、挿入モジュールの形態でサーバフレーム内に挿入される複数のブレードサーバ・スライドイン・モジュールを有する。それらのブレードサーバ・スライドイン・モジュールは、通常、非常に平坦で小型の構造を有し、大抵、サーバフレーム内に隣り合わせで縦向きに配置される。ブレードサーバ・スライドイン・モジュールは通常、それら自身のマザーボードと、作業メモリと、１つから２つのハードドライブとを有するのみである。例えば電源（幹線アダプタ）、ネットワークスイッチ、及び／又はファンなど、動作に必要な更なるコンポーネントは、通常、ブレードサーバシステム内に配置される他の接続モジュールによって、あるいは他のアセンブリによって提供されて、複数のブレードサーバ・スライドイン・モジュールによって連帯的に使用される。ブレードサーバ・スライドイン・モジュールと例えば接続モジュールとの間の電気接続は、しばしば、適した接続を備えた印刷回路基板によって達成される。そのような印刷回路基板は、この場合に典型的に、ブレードサーバ・スライドイン・モジュールの背後で、ブレードサーバシステムの中央に縦向きに配置され、また、ミッドプレーン又はバックプレーンとして知られている。そのようなミッドプレーン又はバックプレーンは、プラグコネクタ（プラグ及び／又はソケット）の形態の複数の端子を各々が備えた２つの面を有する。
【０００３】
ブレードサーバ・スライドイン・モジュールの小型の構造及びフォームファクタと、ブレードサーバ・スライドイン・モジュール内のコンポーネント群の密に詰められた構成とのせいで、例えば拡張カードを用いて、ブレードサーバ・スライドイン・モジュールを拡張することは困難である。さらに、ブレードサーバ・スライドイン・モジュールの概して複雑な冷却（これは、拡張カードによって邪魔されてはならないものである）についても考慮しなければならない。一般に、拡張カードは、ライザーカードとして知られた物を用いて、ブレードサーバ・スライドイン・モジュール内に取り付けられる。ライザーカードは、ブレードサーバ・スライドイン・モジュールのマザーボードに垂直にして、該マザーボードに挿入される。
【０００４】
ライザーカードは一般に、容易にアクセス可能なようにではなく、ブレードサーバ・スライドイン・モジュール内に組み込まれ、故に、ブレードサーバ・スライドイン・モジュールが開かれたり取り外されたりしない場合、拡張カードにおけるプラグ差し込みは厄介なことである。しばしば、ライザーカード上に拡張カードを取り付けるとき、ライザーカードのプラグ接点（コンタクト）及び／又は対応する拡張カードのプラグコネクタが容易には見えず、それ故に、取付け処理中に、ブレードサーバ・スライドイン・モジュール内の他のコンポーネントのプラグ接点及び／又はプラグコネクタに損傷が生じることがある。プラグインされた拡張カードを取り外すとき、既存システムの別の１つの欠点に遭遇する。例えば、拡張カードがライザーカードから取り外される場合、ライザーカードが拡張カードとともに抜かれることになるか、それとも、マザーボードのプラグコネクタ内に残ることになるかが定かでない。例えば、拡張カード上にライザーカードが留まる場合、拡張カード及びライザーカードの取り外しは難しく、また、その他のコンポーネントに損傷を生じさせてしまい得る。
【発明の概要】
【発明が解決しようとする課題】
【０００５】
本発明により対処される１つの課題は、ライザーカードの信頼性のある取付け及び取外しを可能にするブレードサーバ・スライドイン・モジュール用の装置を提供することである。好ましくは、信頼性のある手法で、拡張カードをライザーカード上に取り付けること、及び拡張カードをライザーカードから取り外すことも可能であるべきである。
【課題を解決するための手段】
【０００６】
本発明の第１の態様は、プラグコネクタを有するマザーボードを有したブレードサーバ・スライドイン・モジュール用の装置に関する。この装置は更に、マザーボードのプラグコネクタに挿入されるライザーカードを有する。ブレードサーバ・スライドイン・モジュール内で、第１の開口が存在するキャリアプレートが、マザーボードに対して実質的に平行に固定され、第１の開口は、挿入されたライザーカードの露出されたプラグ接点と位置を揃えられる。さらに、この装置は、連続した第２の開口が存在する本体を有した保持素子を有する。保持装置は、ライザーカードが機械的にしっかりとキャリアプレートに固定され且つライザーカードのプラグ接点が第２の開口を介してアクセス可能であるよう、第２の開口によってポジティブロック的にライザーカードに押し当てられるとともに、キャリアプレートと係止されるように設計される。
【０００７】
一般に、“ポジティブロック”は、“インターロック”とも呼ぶことができる。ロック（係止）はまた、適所にパチッと留めること、又はカチッと爪留めすることも意味する。
【０００８】
キャリアプレートの平行配置は、マザーボードの（主）延在平面に平行な（主）延在平面内にキャリアプレートが配置されることを意味する。
【０００９】
第１の態様に従った装置は、ライザーカードを、固定的にしっかりと機械的に、ブレードサーバ・スライドイン・モジュールのキャリアプレートに接続することを提供する。このとき、保持素子によって、ライザーカードのプラグ接点が第２の開口を介してアクセス可能であること、それにより例えば、拡張カードをライザーカードに差し込むことができることが確保される。ライザーカードがキャリアプレートに固定されるので、ライザーカードに差し込まれた拡張カードが取り外されるときに、ライザーカード自体がマザーボードから引き抜かれたり取り外されたりすることが防止される。故に、ライザーカードは常に、マザーボードにプラグインされている。これは、換言すれば、拡張カードとプラグインされたライザーカードとが１つのユニットとして取り外され得ないことを意味する。そのようなユニットは、扱うことがより困難であり、また、ブレードサーバ・スライドイン・モジュールの狭くて小型の構造及び構成のため、例えば帯電に起因して、他のコンポーネントを容易に損傷してしまい得る。また、ライザーカードを下方にマザーボードにプラグインしなければならず、また、マザーボード上の通常は隠れたプラグコネクタを位置特定しなければならないので、取付け（ユニット及び別々のどちらでも）がより困難である。さらに、ライザーカードが常に、縦向きの位置に、すなわち、マザーボードの延在平面に垂直に保持されるように、ライザーカードの縦方向の傾転又は屈曲を防止することができる。
【００１０】
有利な一実施形態によれば、装置は更に拡張カードを有し、拡張カードは、保持素子の第２の開口を含んだ保持素子の面に接触して拡張カードが据え付けられるように、拡張カードのプラグコネクタによって、保持素子の第２の開口内に差し込まれてライザーカードのプラグ接点と接触するように設計される。故に、拡張カードは保持素子上に置かれ、拡張カードの重みを、保持素子を介してキャリアプレート上で支持することができる。従って、拡張カードの重みは、少なくとも完全には、ライザーカードに伝えられたり渡されたりせず、それにより、ライザーカード上の負荷が軽減される。これは、拡張カード及びライザーカードの安定な構成を更に確実にし、その結果、とりわけ、発生し得る拡張カード及び／又はライザーカードの振動が事実上なし、あるいは非常に僅かのみになる。
【００１１】
有利な更なる一実施形態によれば、ライザーカードの露出されたプラグ接点は実質的に保持素子の第２の開口内に配置される。結果として、ライザーカードのプラグ接点は実質的に、他のコンポーネントとの接触に対して保護される。
【００１２】
有利な更なる一実施形態によれば、保持素子の本体は、回復力のある少なくとも２つの第１の引っ掛かり素子を有し、ライザーカードは、少なくとも２つの窪みを有し、その結果、保持素子がライザーカードに押し当てられて保持素子が機械的にしっかりとライザーカードに結合されるときに、前記少なくとも２つの第１の引っ掛かり素子が前記少なくとも２つの窪み内に係止される。第１に、これは、保持素子が機械的にしっかりとライザーカードに接続されることを可能にする。第２に、これにより、ライザーカードをマザーボードに挿入する前に、保持素子をライザーカードに取り付けること、又は保持素子をライザーカード上に搭載することが可能である。そして、保持素子とライザーカードとを一緒に、ブレードサーバ・スライドイン・モジュールの上に取り付ける、あるいはその中に挿入することができる。これにより容易な組立が確保される。
【００１３】
有利な更なる一実施形態によれば、保持素子の本体は、保持素子をキャリアプレートに係止する（又はパチッと留める）ための、回復力のある少なくとも２つの第２の引っ掛かり素子を有する。これは、保持素子をキャリアプレートに係止するための単純な選択肢を提供する。故に、保持素子をキャリアプレートに簡単に挿入あるいはカチッと爪留めして、それと係止することができる。
【００１４】
有利な更なる一実施形態によれば、保持素子の本体は、保持素子をキャリアプレートに係止するための、回復力のある少なくとも２つの第２の引っ掛かり素子を有し、且つ、保持素子の本体から、互いに反対に配置された２つのＵ字部分がモールドされる。この場合、Ｕ字部分の各々に、回復力のある１つの第１の引っ掛かり素子と、回復力のある１つの第２の引っ掛かり素子とが配置される。結果として、保持素子を、ライザーカード及びキャリアプレートの双方と、単純な方法で係止することが可能である。また、回復力のある第１及び第２の引っ掛かり素子の双方がＵ字部分によって結合され、故に、一緒にクリップ解除あるいは係止解除されることができるので、保持素子を単純な方法で取り外すことができる。“クリップ解除”とは、パチッと留められた接続又は係止された接続が解放されることを意味する。例えば、係止解除することは、適所に係止されたそれぞれの引っ掛かり素子を解放するように手動操作されることが可能な取っ手素子をＵ字部分の各々が有することによって実現され得る。
【００１５】
有利な更なる一実施形態によれば、拡張カードのプラグコネクタは、ポジティブロック的に保持素子の第２の開口内に受け入れられことができる。拡張カードは、故に、保持素子内に機械的にしっかりと固定される。
【００１６】
有利な更なる一実施形態によれば、保持素子は、第２の開口を画成する外縁部に、１つ以上の傾斜面を有する。結果として、例えば、拡張カードのプラグコネクタがライザーカードに差し込まれるときに、それが正確な挿入位置をとることが可能である。これは、例えば、拡張カードのプラグコネクタが容易に視認可能でなく、ライザーカード上の正しい位置におおよそでしか持っていけないときに助けとなる。傾斜面のおかげで、拡張カードのプラグコネクタは正確な位置に滑り込むことになる。保持素子は、故に、じょうご効果を生み出す。
【００１７】
有利な更なる一実施形態によれば、保持素子は、第２の開口の領域に、対向配置され且つライザーカードの周りと横向きに篏合するように設計された２つの溝を有する。結果として、ライザーカードの横方向の傾転又は屈曲は基本的に不可能である。ライザーカードは、故に、横方向で保持素子の内部又は表面に案内される。
【００１８】
有利な更なる一実施形態によれば、キャリアプレートは、ハードドライブケージの１つの面の部分である。故に、例えば、追加の構造的構成を作製したり、追加のコンポーネントを使用したりすることは必要でない。
【００１９】
有利な更なる一実施形態によれば、装置は、以下のような少なくとも１つの支持素子、すなわち、サーバ・スライドイン・モジュール内に配置され、且つ保持素子の第２の開口に挿入された拡張カードを支持するように設計された少なくとも１つの支持素子を有する。このような支持素子は、例えば、サーバ・スライドイン・モジュール内の拡張カードの縁部領域に配置されることができる。故に、例えば、ブレードサーバ・スライドイン・モジュール内の大きい面積を覆って延在する拡張カードを横方向で支持し、それにより、拡張カードの振動を実質的に回避することができる。さらに、拡張カードの重みが、保持素子及び／又はライザーカードの上以外にも分散される。
【００２０】
本発明の有利な更なる一実施形態によれば、前記少なくとも１つの支持素子は、拡張カードの挿入方向に平行な突起を有し、拡張カードは、１つ以上の窪みを有し、拡張カードの挿入時、前記少なくとも１つの支持素子の突起が、対応する窪み内にポジティブロック的に受け入れられる。故に、拡張カードが挿入されるときに正確な位置をとることを更に確実にすることができる。拡張カードは故に、挿入されるときに突起によって案内される。この窪みは、例えば、突起に対するスロット状のガイドの形態で設けられ得る。さらに、例えば、拡張カードの（主）延在平面に平行な方向への拡張カードの移動が防止される。
【００２１】
有利な更なる一実施形態によれば、保持素子は、１つの部品（ピース）にて製造され、且つ／或いはプラスチック材料から製造される。故に、例えば射出成形プロセスによって、保持素子を単純な方法で安価に製造することができる。
【００２２】
例示的な実施形態についての以下の詳細な説明にて、更なる有利な実施形態を開示する。
【図面の簡単な説明】
【００２３】
以下では、添付図面の助けを借りて本発明の例示的な実施形態を説明する。図面において、異なる例示実施形態においても同様のコンポーネントには同じ参照符号を付している。既に参照符号によって定かになっている例示実施形態の機構については、必ずしも全ての図で参照符号を付していはいない。
【図１】第１の例示実施形態に従った保持素子を有する装置を模式的に示す立体図である。
【図２】第１の例示実施形態に従った保持素子を模式的に示す立体図である。
【図３】第１の例示実施形態に従った保持素子を模式的に示す側面図である。
【図４】上記装置を模式的に示す側面図である。
【図５】第２の例示実施形態に従った保持素子を模式的に示す立体図である。
【図６】第２の例示実施形態に従った保持素子を模式的に示す側面図である。
【図７】２つの支持素子を有する装置を模式的に示す立体図である。
【図８】支持素子を模式的に示す立体図である。
【図９】第２の例示実施形態に従った装置を模式的に示す立体詳細図である。
【発明を実施するための形態】
【００２４】
図１は、第１の例示的な実施形態に係るブレードサーバ・スライドイン・モジュール用の装置ＡＯを示している。装置ＡＯは、ブレードサーバ・スライドイン・モジュール（図示せず）内に配置且つ／或いは機械的に固定されるハードドライブのケージＦＫを有している。例えば、ハードドライブケージＦＫは、マザーボードＨＰにネジ留めされる。ハードドライブケージＦＫは上面にキャリアプレートＴＢを有している。装置ＡＯは更に、マザーボードのプラグコネクタに挿入される（図４参照）ライザーカードＲＫを有している。マザーボードはハードドライブケージＦＫの下に配置される。キャリアプレートＴＢには、挿入されたライザーカードＲＫの露出されたプラグ接点ＳＫと位置を揃えられた第１の開口ＯＥ１が存在している。装置ＡＯは更に、第２の開口ＯＥ２がその中に存在する保持素子ＨＥを有している。保持素子ＨＥは、インターロック（連動）接続を作り出すよう、第２の開口ＯＥ２によってライザーカードＲＫ上に押し付けられ、第１の開口ＯＥ１の領域でキャリアプレートＴＢと係止される。ライザーカードＲＫは、それにより、ライザーカードＲＫの露出されたプラグ接点ＳＫが上方から第２の開口ＯＥ２を介してアクセス可能であるようにして、キャリアプレートＴＢに機械的にしっかりと固定される。装置ＡＯは更に、２つの支持素子ＡＥを有しており、これらは、図示の例示実施形態において、例えばネジ留め接続、リベット留め接続、又はその他の接続技術によって、キャリアプレートＴＢに機械的に固定されている。
【００２５】
キャリアプレートＴＢは必ずしもハードドライブケージＦＫの一部である必要はない。キャリアプレートＴＢは、他の例では、ブレードサーバ・スライドイン・モジュール内に取り付けられた別個の要素であってもよい。
【００２６】
保持素子ＨＥは、幾つかの機能を有する。保持素子ＨＥは、一方で、ライザーカードＲＫを機械的にしっかりとキャリアプレートＴＢに固定するように設計される。例えば、拡張カードがライザーカードＲＫにプラグ接続される場合、拡張カードが取り外されるときにも、ライザーカードＲＫは、マザーボードのプラグコネクタにプラグインされたままである。縦方向にライザーカードＲＫが抜かれることが防止される。
【００２７】
加えて、縦向きに配置されたライザーカードＲＫの傾転若しくは旋回、及び／又は横方向ＨＲでのライザーカードＲＫの横向きの動きも防止されるべきである。例えば、ライザーカードＲＫがプラグ差し込みされるマザーボードのプラグコネクタを中心に、ライザーカードＲＫを旋回あるいは傾転させることは不可能であるべきである。
【００２８】
保持素子ＨＥの別の１つの機能は、挿入された拡張カードの重みが完全にライザーカードＲＫに伝わらないことを確実にすることである。仮にこの重みが完全にライザーカードＲＫに伝えられるとすると、それは、横方向ＨＲへの傾転を助長することになる。さらに、ライザーカードＲＫがプラグインされるマザーボードのプラグコネクタ、及びライザーカードＲＫそれ自体が、機械的負荷に晒されることになる。これは、機械的及び電気的双方のダメージを生じさせ得る。
【００２９】
保持素子ＨＥの別の１つの機能は、ライザーカードＲＫにおける拡張カードの挿入を容易にすることであり、その結果、例えば、拡張カードの正確な挿入位置が達成され得る。故に、例えば、問題なく拡張カードのプラグコネクタを第２の開口ＯＥ２に正確に挿入し、それをライザーカードＲＫのプラグ接点ＳＫに接続することが可能である。これは、例えば、保持素子ＨＥに幾つかの傾斜面（ベベル）を設けること（図２参照）によって助けられる。
【００３０】
支持素子ＡＥは、挿入された拡張カードを横方向で支持し、且つ／或いは拡張カードの取付けを容易にするように設計される。
【００３１】
保持素子ＨＥ及び支持素子ＡＥの構造及び機能を、以下の図の助けを借りて詳細に説明する。
【００３２】
図２及び３は、図１に示した保持素子ＨＥの第１の例示的な実施形態を示している。保持素子ＨＥは、保持素子ＨＥの本体ＧＫに連続的に導入された第２の開口ＯＥ２を有している。第２の開口ＯＥ２は、実質的にスロット形状であり、拡張カードのプラグコネクタ及び／又はライザーカードＲＫの形状に適応されている。窪み又はポケットとも呼び得る２つの対向する溝Ｎが、第２の開口ＯＥ２の中、且つ／或いは保持素子ＨＥの下面ＵＳに導入あるいは作製されている。溝Ｎは、横方向にライザーカードＲＫを案内するとともに、その周囲に篏合するように設計される。これに関し、溝Ｎの構成は、図示の例示実施形態に限定されるものではなく、むしろ、この構成は、ライザーカードＲＫの横方向での案内を確実にするように多様に構成されることができる。例えば、保持素子ＨＥがライザーカードＲＫ上に押し付けられている場合、基本的に、ライザーカードＲＫは、横方向ＨＲに傾転あるいは旋回されることができず、また、その縦方向位置から引き出されることができない。保持素子ＨＥは更に、Ｕ字形状の部分ＵＡに形成された第１の引っ掛かり（キャッチ）素子ＲＥ１及び第２の引っ掛かり素子ＲＥ２を有している。Ｕ字部分ＵＡは本体ＧＫからモールドされている。
【００３３】
図１に示す保持素子ＨＥの取付け状態において、下面ＵＳがキャリアプレートＴＢ上に配置される。下面ＵＳは、この場合、キャリアプレートの上にそれに接して載っている。ライザーカードＲＫに接続された拡張カードの重量は、故に、保持素子ＨＥを介してキャリアプレートＴＢに伝えられることができる。
【００３４】
第１の引っ掛かり素子ＲＥ１及び第２の引っ掛かり素子ＲＥ２は、回復力のある設計を有する。これは、Ｕ字部分ＵＡが、例えば弾塑性材料によって、弾力性のある設計を有することによる。第１の引っ掛かり素子ＲＥ１及び第１の引っ掛かり素子ＲＥ２は、それぞれ、ライザーカードＲＫ及びキャリアプレートＴＢと係止されるように設計されている。これを図４により示す。
【００３５】
図４は、図１に従った装置ＡＯを側方から見たものを模式的に示している。ここでは、ライザーカードＲＫがマザーボードＨＰのプラグコネクタＳＶ（破線によって示されている）に挿入されている。保持素子ＨＥがライザーカードＲＫに押し当てられ、溝Ｎが、横向きに、上部領域のライザーカードＲＫの周りに篏合している。保持素子ＨＥのこの押し入れ状態又はプラグイン状態において、第１の引っ掛かり素子ＲＥ１がライザーカードＲＫの窪みＡ１内に実質的にインターロック的にパチッと留められて、第１の引っ掛かり素子ＲＥ１がライザーカードＲＫと係止される。また、第２の引っ掛かり素子ＲＥ２がキャリアプレートＴＢの第１の開口ＯＥ１を通って案内されてキャリアプレートＴＢの下面ＵＳＴと係止され、第２の引っ掛かり素子ＲＥ２がキャリアプレートＴＢと係止される。
【００３６】
故に、マザーボードＨＰのプラグコネクタＳＶを中心としたライザーカードＲＫの傾転（図４に描いた平面に垂直な方向）は不可能である。
【００３７】
例えばライザーカードＲＫに差し込まれた拡張カードが取り外されるときなどに、ライザーカードＲＫが、挿入方向ＥＲとは反対向きに、保持素子ＨＥ及びキャリアプレートの第１の開口ＯＥ１を通って取られないよう、ライザーカードＲＫは突起Ｖ１を有している。突起Ｖ１は、保持素子ＨＥの停止面ＡＦに接触するか、停止面ＡＦから僅かに離間されるかするように構成される。保持素子ＨＥは下面ＵＳ及び第２の引っ掛かり素子ＲＥ２によってキャリアプレートＴＢと係止されているので、ライザーカードＲＫは取り外されることができない。というのは、突起Ｖ１が、保持素子ＨＥの停止面ＡＦ及びＵ字部分ＵＡにぶつかるように置かれていて、挿入方向ＥＲとは反対向きにライザーカードＲＫを引き抜くことを防止且つ／或いは阻止するからである。ライザーカードＲＫは、故に、縦（垂直）方向において、マザーボードＨＰの延在面に対して固定される。
【００３８】
図２にて見て取れるように、第２の開口ＯＥ２を画成する外縁部において、保持素子ＨＥは１つ以上の傾斜面Ｆを有している。傾斜面Ｆは、拡張カードのプラグコネクタを第２の開口ＯＥ２に正確に挿入することを可能にし、それにより、拡張カードのプラグコネクタをライザーカードＲＫのプラグ接点ＳＫに接続することができる。傾斜面Ｆは、例えば、じょうご効果を形成する。例えば、ライザーカードＲＫに拡張カードが差し込まれる場合で、ライザーカードＲＫが困難性をもってしてのみアクセス可能であり、あるいは拡張カードのプラグコネクタが困難性をもってしてのみ視認可能である場合、ざっと程度に拡張カードのプラグコネクタを保持素子ＨＥに対して位置付けることで十分である。そして、僅かな圧力を用いることで、拡張カードのプラグコネクタを正確な位置でライザーカードＲＫに接触させることができる。
【００３９】
他の例（図示せず）において、保持素子ＨＥはまた、傾斜面Ｆを有していなくてもよく、じょうご効果及び／又はプラグインカードのプラグコネクタの案内は、その他の手法で達成されてもよい。例えば、第２の開口ＯＥ２を画成する縁部を、第２の開口ＯＥ２の内部に向かって傾斜した階段状にしてもよい。
【００４０】
図示した例示実施形態において、保持素子ＨＥは、１つの部品として形成され、プラスチック材料からなる。例えば、そのような保持素子ＨＥは、射出成形プロセスによって製造されることができる。保持素子ＨＥは、故に、単純な方法で安価に製造され得る。他の例では、保持素子ＨＥはまた、異なる材料から製造されてもよいし、且つ／或いは複数部品構成を有していてもよい。
【００４１】
図２及び３に従った保持素子ＨＥは、第１の引っ掛かり素子ＲＥ１によって、ライザーカードＲＫと係止されることができ、それにより、ライザーカードＲＫと保持素子ＨＥとが、１つのユニット又は１つのモジュールを形成する。故に、例えば、最初にこのモジュールを形成し、その後に、ライザーカードＲＫに固定された保持素子ＨＥにより、ライザーカードＲＫをマザーボードのプラグコネクタにプラグインすることが可能である。キャリアプレートＴＢの第１の開口ＯＥ１はライザーカードひいてはマザーボードＨＰのプラグコネクタＳＶとアライメントされているので、そのような目的で配設されたマザーボードＨＰのプラグコネクタＳＶにライザーカードＲＫがしっかりと差し込まれることが保証される。
【００４２】
ライザーカードＲＫ及び／又はキャリアプレートＴＢへの保持素子ＨＥの押し当て又は差し込みを容易にするため、保持素子ＨＥは、取っ手（ハンドル）素子ＧＥ（図４参照）を有している。取っ手素子ＧＥは、Ｕ字部分ＵＡ上に配置されている。例えば、取っ手素子ＧＥは、触覚の向上のために外面に刻みを付けられることができる。取っ手素子ＧＥは、同様に、キャリアプレートＴＢ及び／又はライザーカードＲＫからの保持素子ＨＥの取外し及び／又は固定解除のために使用されることができ、そのとき、取っ手素子を保持素子ＨＥの本体ＧＫの方に押すことができる。他の構成の取っ手素子ＧＥも可能であり、例えば、保持素子の異なる位置に取っ手素子ＧＥを配置することができる。
【００４３】
図５及び６は、別の第２の実施形態に係る保持素子ＨＥを示している。これらの図に示した保持素子ＨＥは、図２−４の保持素子ＨＥと実質的に同じ機能を有するが、この保持素子ＨＥは第１の引っ掛かり素子ＲＥ１を有していない。このような保持素子ＨＥは、故に、ライザーカードＲＫがマザーボードに取り付けられる前には、ライザーカードＲＫに堅くしっかりと機械的に固定されることができない。このような保持素子ＨＥは、ライザーカードＲＫが既にマザーボードにプラグインされていることを必要とする。結果として、図２−４に従った保持素子ＨＥよりコスト効率良く保持素子ＨＥを製造することができる。
【００４４】
保持素子ＨＥ、特に、第１の引っ掛かり素子ＲＥ１及び／又は第２の引っ掛かり素子ＲＥ２、及び／又はＵ字部分ＵＡはまた、他の例では、異なるように構成されることができる。そのような設計の可能性は当業者によく知られているが、保持素子ＨＥの特有の機能が果たされることに留意すべきである。
【００４５】
図７は、ブレードサーバ・スライドイン・モジュールの、別の第２の例示的な実施形態に係る装置ＡＯを示しており、この装置ＡＯは実質的に、図１に従った装置ＡＯの機構を有している。さらに、この装置ＡＯは、保持素子ＨＥの第２の開口ＯＥ２に挿入されてライザーカードＲＫのプラグ接点にプラグ接続された拡張カードＥＫを有している。ここでは、拡張カードＥＫは、保持素子の第２の開口ＯＥ２を画成する外縁部上で保持素子ＨＥの上に置かれている。
【００４６】
拡張カードＥＫの重みは、故に、保持素子ＨＥを介してキャリアプレートＴＢに分散されることができる。故に、拡張カードＥＫの重みは、その全体がライザーカードＲＫ及びマザーボードＨＰのプラグコネクタＳＶに伝えられるわけではない。それにより、ライザーカードＲＫ及びマザーボードＨＰへの機械的ダメージが回避される。装置ＡＯは、ブレードサーバ・スライドイン・モジュールの閉じて限られた設置空間及びフォームファクタにかかわらずに、拡張カードＥＫをライザーカードＲＫに信頼性高く接続することを可能にする。ブレードサーバ・スライドイン・モジュールの冷却は、拡張カードＥＫが延在する平面に対して実質的に平行に当該モジュールが広がっているので、実質的に影響されたり妨害されたりしない。拡張カードＥＫのプラグコネクタは、ライザーカードＲＫにしっかりとプラグ接続されることができる。ライザーカードＲＫのプラグ接点ＳＫ及び／又は拡張カードＥＫのプラグコネクタが視認可能でない場合であっても、ざっと程度に拡張カードＥＫのプラグコネクタを保持素子ＨＥに対して位置付けることで十分であり、例えば保持素子ＨＥの傾斜面Ｆのおかげで、プラグコネクタを、第２の開口ＯＥ２内に案内して、ライザーカードＲＫのプラグ接点に接続することができる。
【００４７】
図７は更に、２つの支持素子ＡＥを示しており、これらの支持素子ＡＥは、図１と比較して、各々が更に突起Ｖ２を有している。これらの支持素子ＡＥを図８に詳細に示す。
【００４８】
図８は、図７からの装置ＡＯに従った支持素子ＡＥを示している。支持素子ＡＥは、拡張カードＥＫの窪みＡ２内にインターロック的に案内されるように設計された突起Ｖ２を有している。図９の拡大図の助けを借りてこれを見ることができる。突起Ｖ２は、ここでは、窪みＡ２内に連動的にフィットして受け入れられている。
【００４９】
例えば、拡張カードＥＫを取り付けるとき、拡張カードＥＫを支持素子ＡＥの高さに持っていくことで、拡張カードは、窪みＡ２により、インターロック的に支持素子ＡＥの突起Ｖ２と接続される。その後、拡張カードＥＫを挿入方向ＥＲに押し下げることで、拡張カードＥＫのプラグコネクタを正確にしっかりとライザーカードＲＫと接続することができる。拡張カードＥＫは、このとき、その周辺面を支持素子ＡＥの境界面ＢＦに対向させて置かれる。これにより、拡張カードＥＫがその延在平面内で方向Ｒの全てで固定されること、そしてそれ故に、１つの自由度を別として全ての自由度を奪うことが確実にされる。この１つの自由な自由度は、挿入方向ＥＲとは反対向きの拡張カードの抜き取り方向に相当する。動作中、例えば、ブレードサーバ・スライドイン・モジュールの筐体カバーによって、この自由度を奪うことができる。方向Ｒでの拡張カードＥＫの変位はまた、保持素子ＨＥによっても阻止される。
【００５０】
さらに、拡張カードが単純な方法でプラグインすなわち取り付けられ、且つ／或いは取り外され得るように、プラグコネクタ又は保持素子ＨＥの高さにある拡張カードＥＫにおいて、拡張カードＥＫの外縁部のノッチＫを作用させることができる。ノッチＫは、拡張カードＥＫがより良好に掴まれることを可能にする。ノッチＫはまた、谷（トラフ）として形成されてもよいし、その他の構成を有していてもよい。
【００５１】
本発明は、詳述した例示実施形態に限定されるものではない。特に、異なる例示実施形態の機構及び機能を互いに組み合わせて、関連する利点又は機能を得ることができる。
【符号の説明】
【００５２】
Ａ１  窪み
Ａ２  窪み
ＡＥ  支持素子
ＡＦ  停止面
ＡＯ  装置
ＢＦ  境界面
ＥＫ  拡張カード
ＥＲ  挿入方向
Ｆ  傾斜面
ＦＫ  ハードドライブケージ
ＧＥ  取っ手素子
ＧＫ  本体
ＨＥ  保持素子
ＨＰ  マザーボード
ＨＲ  横方向
Ｋ  ノッチ
Ｎ  溝
ＯＥ１  開口
ＯＥ２  開口
Ｒ  方向
ＲＥ１  引っ掛かり素子
ＲＥ２  引っ掛かり素子
ＲＫ  ライザーカード
ＳＫ  プラグ接点
ＳＶ  プラグコネクタ
ＴＢ  キャリアプレート
ＵＡ  Ｕ字部分
ＵＳ  下面
ＵＳＴ  下面
Ｖ１  突起
Ｖ２  突起
【図１】
0005953431.tif 000002
【図２】
0005953431.tif 000003
【図３】
0005953431.tif 000004
【図４】
0005953431.tif 000005
【図５】
0005953431.tif 000006
【図６】
0005953431.tif 000007
【図７】
0005953431.tif 000008
【図８】
0005953431.tif 000009
【図９】
0005953431.tif 000010